(57)【要約】【技術課題】  都市ガスのガバナー室に侵入者があった場合に、これを感知する感知器を提供する。【解決手段】  無負荷時にはコイルスプリング９の力で前進し、負荷時には前記コイルスプリング９を圧縮しながら感知器本体１内に後退する被動ピン５と、光反射体８を設けると共にこの光反射体８と対向する位置に光センサー１０を感知器本体１に取り付ける。  感知器１をガバナー室２０に取り付け、扉２１が開放されたときに光センサー１０でこれを感知して、監視回路１９へ向けて信号を送り、この監視回路１９から管理センタへ向けて警報信号を発信する。【選択図】図２
2011022810.tif 000002
【特許請求の範囲】
【請求項１】
無負荷時にはスプリングの力で前進し、負荷時には前記スプリングを圧縮しながらケース内に後退する被動ピンを感知器本体に組み付けると共に前記感知器本体内に位置する前記被動ピンの一部に光反射体を取り付けたこと、
前記感知器本体において、前記光反射体と対向する位置に光センサーを取り付けたこと、
前記被動ピンの先端をガバナー室の扉の開閉動作位置に臨ませてガバナー室側に感知器本体を取り付けると共に前記光センサーと監視回路間を光ファイバーで結び、扉が開放されたときに光センサーでこれを感知して、前記監視回路へ向けて信号を送り、この監視回路から管理センタへ向けて警報信号を送信するように構成して成る都市ガスのガバナー基地における侵入者感知器。
【請求項２】
前記被動ピンの先端にねじ孔を形成すると共にこのねじ孔内に調整被動ピンをねじ込んで取り付けることにより、被動ピンの長さを調整自在に構成して成る請求項１に記載の都市ガスのガバナー基地における侵入者感知器。
【請求項３】
前記調整被動ピンの先端に膨大部付の袋ナットを取り付けて成る請求項２に記載のガバナー基地における侵入者感知器。
【請求項４】
前記光反射体に換えて被動ピンの一部に光反射部を直接形成して成る請求項１乃至３のいずれか１項に記載のガバナー基地における侵入者感知器。
【請求項５】
前記監視回路は、管理センターへの通報に併せて警報を発呼する発呼回路を付加して成る請求項１に記載のガバナー基地における侵入者感知器。
【発明の詳細な説明】
【技術分野】
【０００１】
本発明は、都市ガスの整圧のために配管路に取り付けられたガバナーを収容するガバナー室（ボックス）において、このガバナー室内に侵入する者があった際、これを感知して管理センターへ通報したり、警報を発呼させたりするために、ガバナー室の扉の所に取り付けて用いられる感知器に関する。
【背景技術】
【０００２】
都市ガスの供給配管路（供給網）には、高圧を中圧に又は中圧を低圧に整圧するために、要所にガバナーが設けられていて、このガバナーのある箇所をガバナー基地と呼んでいる。このガバナー基地において、ガバナーは、周囲を密閉した特開２００２−０７０１７１号に示すようなガバナー室内に収められていて、関係者以外がこのガバナー室内に出入りできないように出入口の扉は施錠されているが、何者かによって侵入される心配がある。
【０００３】
そして、万一、ガバナーに悪戯されたりすると、ガス事故を招きかねないことから、従来のガバナー室の扉には、侵入者を感知するための感知器が取り付けられている。
【先行技術文献】
【特許文献】
【０００４】
【特許文献１】特開２００２−０７０１７１号公報
【発明の概要】
【発明が解決しようとする課題】
【０００５】
しかし、従来の感知器の場合、侵入者により扉の開放を電気的な手段で感知する構成のため、万一ガス漏れが発生していたりすると、スパークした火花が漏れ出たガスに引火する心配があった。
【０００６】
本発明は斯る点に鑑みて提案されるものであって、その目的は、万一ガスの漏洩があっても、これに引火したりしない都市ガスのガバナー基地における侵入者感知器を提供することである。
【課題を解決するための手段】
【０００７】
上記目的を達成するため、請求項１に記載の発明は、都市ガスのガバナー基地における侵入者感知器において、無負荷時にはスプリングの力で前進し、負荷時には前記スプリングを圧縮しながらケース内に後退する被動ピンを感知器本体に組み付けると共に前記感知器本体内に位置する前記被動ピンの一部に光反射体を取り付けたこと、
前記感知器本体において、前記光反射体と対向する位置に光センサーを取り付けたこと、
前記被動ピンの先端をガバナー室の扉の開閉動作位置に臨ませてガバナー室側に感知器本体を取り付けると共に前記光センサーと監視回路間を光ファイバーで結び、扉が開放されたときに光センサーでこれを感知して、前記監視回路へ向けて信号を送り、この監視回路から管理センタへ向けて警報信号を送信するように構成して成ることを特徴とするものである。
【０００８】
この発明によると、スパークの心配のない光センサーで扉の開放動作を感知するため、ガバナー室内にガス漏れがあっても、引火する心配がなく、安全である。
【０００９】
更に、請求項２に記載の発明は、請求項１に記載のガバナー基地における侵入者感知器において、前記被動ピンの先端にねじ孔を形成すると共にこのねじ孔内に調整被動ピンをねじ込んで取り付けることにより、被動ピンの長さを調整自在に構成して成ることを特徴とするものである。
【００１０】
この発明によると、ガバナー室における扉の位置、構造に併せて、位置調整を行うことができる。
【００１１】
更に、請求項３に記載の発明においては、請求項２に記載のガバナー基地における侵入者感知器において、前記調整被動ピンの先端に膨大部付の袋ナットを取り付けて成ることを特徴とするものである。
【００１２】
この発明によると、調整被動ピンの先端の角が扉に当らないため、扉を損傷したり、開き戸式の扉の場合には、スムーズに扉の動きが調整被動ピン側に伝わる。
【００１３】
更に、請求項４に記載の発明は、請求項１乃至３のいずれか１項に記載のガバナー基地における侵入者感知器において、前記光反射体に換えて被動ピンの一部に光反射部を直接形成して成ることを特徴とするものである。
【００１４】
この発明によると、被動ピンに反射体を取り付ける手間と費用の削減が可能である。但し、被動ピンの材質によっては、経年的に反射率が低下することが考えられるため、実用化する場合には、経年劣化に対する対応を考慮する必要がある。
【００１５】
更に、請求項５に記載の発明は、請求項１に記載のガバナー基地における侵入者感知器において、前記監視回路には、管理センターの通報に併せて警報を発呼する発呼回路が付加されていることを特徴とするものである。
【００１６】
この発明によると、ガバナー基地においてブザー等による侵入警報が発呼されることから、侵入者には脅威となる。
【発明の効果】
【００１７】
本発明によると、感知器は、光センサーによりガバナー室の扉の開放動作を感知し、この感知手段に電気回路を持たないため、電気回路を持った従来の感知器のようにスパークの心配がなく、安全である。
【図面の簡単な説明】
【００１８】
【図１】本発明に係る感知器の正面図である。
【図２】横断平面図である。
【図３】扉が閉じ、光センサーが作動している状態の断面図である。
【図４】光センサーの正面図である。
【図５】被動ピンから調整ピンを取り外した状態の説明図である。
【図６】ガバナー室の一例を示す説明図である。
【図７】感知器をガバナー室に取り付けた状態の説明図である。
【図８】引き戸に本発明に係る感知器を取り付けた例の説明図である。
【発明を実施するための形態】
【００１９】
本発明に係る感知器は、都市ガスのガバナー基地（ガバナーボックス）における侵入者の感知を主目的としているが、その他のボックス等であって、防爆等の理由から電気的回路を持つ感知器を使用することが望ましくない施設にも適用が可能である。
【００２０】
本発明の感知器は、ガバナー室等の扉であって、片開き、両開き、引き戸式の扉に取り付けて使用される。
【００２１】
感知器はガバナー室内に取り付け、ガバナー室の外には警報回路（警報器）が取り付けられていて、この警報回路とガバナー室内の感知器とは光ファイバーケーブルで結ばれており、警報回路からは、常時光信号が光センサーに負荷されている。
【００２２】
そして、感知器の被動ピンは、扉が閉じている状態においてはこの扉により押し込まれており、反射体は光センサーの前面に移動して来ている。この結果、光センサー回路が閉成されていて、この状態は正常状態である。
【００２３】
そして、侵入者により扉が開放されると、被動ピンの先端から扉が逃げるために被動ピンはスプリングの力で前進し、この作用で反射体が光センサーの前方から外れる。
【００２４】
この結果、光センサー回路が開放されるため、この開放状態を監視していた警報回路が駆動して管理センターへ無線又は有線で侵入が発生したことを通報する。
【００２５】
この時、警報回路は、同時にブザー等を駆動して警報音を発呼する。
【００２６】
感知器は、ガバナー室ごとに扉の建てつけが違うことが多いため、あらかじめＬ型等のブラケットを用意しておき、現場の状況に合わせて最適な状態に取り付ける。
【実施例１】
【００２７】
図１〜図８に基づいて請求項１〜５に記載した発明の実施例を詳細に説明する。
【００２８】
符号の１は四角形の感知器本体であって、正面には蓋２がビス３で取り付けられていて、このビス３を外すことにより蓋２を取って内部のメンテナンス等に対応することができる。４は感知器本体１をガバナー室内に取り付けるときに用いるブラケットに固定するためのビス孔である。
【００２９】
５は感知器本体１の側面に出入り自在に組み付けられた被動ピンであって、この被動ピン５の先端５ａにはストッパー６が形成されていると共に先端５ａの中心から軸方向に向けてねじ孔７が形成されている。
【００３０】
また、被動ピン５において、感知器本体１内に位置する後端５ｂ部分の正面には光反射性に優れたステンレス等で作られた反射体８が取り付けられている。但し、被動ピン５の側面を平滑に形成して、ここを直接の反射面としても良い。
【００３１】
９は前記被動ピン５を押し出す方向に賦勢しているコイルスプリングである。
【００３２】
１０は感知器本体１の正面から内部に向けて取り付けられた光センサーであって、この光センサー１０は、図４に示すように、発光素子１１と受光素子１２が前記反射体８に対面していて、被動ピン５の後退により反射体８が光センサー１０の正面に移動して来ると、発光素子１１で発光した光が反射体８で反射し、受光素子１２で受光することにより光回路１３、１４を閉成する構成である。
【００３３】
１５は被動ピン５の先端に形成したねじ孔７内に正面からそのねじ部１６をねじ込んで取り付けられた調整被動ピンであって、現場で被動ピン５の長さでは対応しきれない位置関係のときに、この調整被動ピン１５を取り付けて長さを調整することができる。
【００３４】
１７は調整被動ピン１５の先端に取り付けられた袋ナットであって、この袋ナット１７の先端側には丸い膨大部１８が形成してあり、この膨大部１８は扉との接触に際し、接触角が小さいときにこの接触圧を緩和する目的であるが、必ずしも必要とはしない。特に引き戸式の場合には、殆ど必要としないが、勿論あっても良い。
【００３５】
図２、図３において、１９は警報回路、２０はガバナー室、２１はこの出入口に取り付けられた扉を示し、図２は扉２１が開放されている状態であって、被動ピン５はコイルスプリング９により前進している。一方図３は扉２１が閉じられていて、被動ピン５が後退していて、反射体８と光センサー１０とが対面した状態（光回路１３、１４が閉成された状態）である。
【００３６】
図５は調整被動ピン１５を被動ピン５の先端から取り外した状態を示すものである。
【００３７】
図６は、上記した感知器１が取り付けられたガバナー室２０の外観図、図７（Ａ）（Ｂ）はガバナー室２０内に感知器１を取り付けた状態を示すものであって、感知器１は、Ｌ型のブラケット２２に対してビス孔４を利用して固定され、ブラケット２２はガバナー室２０の側板２５にボルト２６により被動ピン５を扉２１側に向けて取り付けられている。
【００３８】
扉２１は、図７（Ｂ）に示すように、閉じた状態では被動ピン５を押し込んで光センサー１０の光回路１３、１４を閉成し、扉２１が開放されると被動ピン５はコイルスプリング８により押し出されて光センサー１０の光回路１３、１４は開放される。
【００３９】
図８は引き戸式の取り付け例であって、引き戸２６に蹴り板２７を取り付け、この蹴り板２７をガバナー室２０の枠２８にブラケット２９で取り付けられた感知器１の調整被動ピン１５の先端に臨ませておき、引き戸２６が閉じられた状態で調整被動ピン１５により被動ピン５が押し込まれる。
【００４０】
以上に説明した感知器１の取り付け例は一例であって、現場の状況に応じて種々形状のブラケットを用いて対応することになる。
【図１】
2011022810.tif 000003
【図２】
2011022810.tif 000004
【図３】
2011022810.tif 000005
【図４】
2011022810.tif 000006
【図５】
2011022810.tif 000007
【図６】
2011022810.tif 000008
【図７】
2011022810.tif 000009
【図８】
2011022810.tif 000010